(57)【要約】【課題】  細い針金をラセン状に作った極小バネを捻り伸ばした形のハリス止めを、１カ所のハンダ付けで針軸と組み合わせた従来の逆さ針は、指先でつまんだときに針先の方向が定まらず、掛け針のハリスの係脱がやり辛いものであった。【解決手段】  針部材３３の針先とハリス止め部材３６のラセン部３４とが反対方向となるよう、針部材３３の針軸３２とハリス止め部材３６の直線部３５とを平行配置した接触部分を、第１ハンダ付け部３８と第２ハンダ付け部４０とにより接合し、第１ハンダ付け部３８近傍のハリス止め部材３６を針軸３２から離間するよう凸型に形成することによりハリス通し部４１を設け、針部材３３の針軸３２とハリス止め部材３６の直線部３５との微少な隙間からなるハリス挟み込み部４２を設けた。【選択図】        図３
2018029526.tif 000002
【特許請求の範囲】
【請求項１】
針先と針軸とからなる針部材と、
端部が小径のラセン形に形成されたラセン部と直線部とからなるハリス止め部材と、を備え、
前記針部材の針先と前記ハリス止め部材のラセン部とが反対方向となるよう、前記針部材の針軸と前記ハリス止め部材の直線部とを平行配置した接触部分に、前記ハリス止め部材の直線部側の端部近傍と前記針部材の針軸とを接合する第１ハンダ付け部と、前記針部材の針軸側の端部近傍と前記ハリス止め部材の直線部とを接合する第２ハンダ付け部とを設けた鮎の友釣り用逆さ針であって、
前記第１ハンダ付け部近傍の前記ハリス止め部材を前記針軸から離間するよう凸型に形成することによりハリス通し部を設け、
前記ハリス通し部と前記第２ハンダ付け部との間に前記針部材の針軸と前記ハリス止め部材の直線部との微少な隙間からなるハリス挟み込み部を設け、
掛け針のハリスを前記ハリス通し部に通し、ハリスを前記ハリス挟み込み部に挟み込み、さらにハリスを第２ハンダ付け部の外周部に巻き回したのち、前記ラセン部の内部を通すことで、掛け針のハリスが係止されることを特徴とする鮎の友釣り用逆さ針。
【請求項２】
前記ラセン部の線材間の隙間が、前記ハリス止め部材に係止される、掛け針のハリスの直径程度とされることを特徴とする、請求項１に記載された鮎の友釣り用逆さ針。
【請求項３】
前記ラセン部の巻き回数が２〜３回であることを特徴とする、請求項１又は２に記載された鮎の友釣り用逆さ針。
【発明の詳細な説明】
【技術分野】
【０００１】
本発明は、鮎の友釣りに使用する逆さ針（さかさばり）に関する。
【背景技術】
【０００２】
従来から、鮎の友釣りに用いられる鮎釣り用仕掛けは、鼻環（ハナカン）を取り付けた仕掛け糸の先端に逆さ針を取り付ける。逆さ針にハリス止めを設けて、このハリス止めに掛け針（「イカリ針」とも言う。）と一体になっているハリス（掛け針用の糸）を係脱可能に取り付けるようにしている。
そして、友釣りを行うときには、仕掛けを道糸に結着し、仕掛けに設けた鼻環をオトリ鮎の鼻孔に嵌装し、逆さ針をオトリ鮎の尻ビレ側の下腹部に引っ掛ける。逆さ針のハリス止めにハリスを係止することで掛け針をオトリ鮎の後部に位置させる。
その状態で釣場の河川でオトリ鮎を泳がせることにより、野鮎の縄張りを守ろうとする習性を利用しオトリ鮎を追いかける野鮎を掛け針に引っ掛けるのである。
【０００３】
以上のように、逆さ針にハリス止めを設けることにより、野鮎の大きさや水流その他の釣り場条件などに応じて掛け針を選択するとき、又は根掛かりなどで掛け針の先端の鋭さが無くなり交換するときなどに、逆さ針のハリス止めに掛け針と一体となったハリスを付け替えることで掛け針の交換ができる。
【０００４】
図６は、逆さ針１のハリス止め２の例を示している。
図６に示した逆さ針１は、針先３につながる針軸４を折り曲げ端部７で折り曲げてハリス止め２を形成している。ハリス止め２には、針軸４の往復部分をふくらませて形成したハリス通し部５を有している。さらに、ハリス通し部５と折り曲げ端部７との間に微少な隙間からなるハリス挟み込み部６が形成されている。
掛け針１０と一体になっているハリス１１をハリス通し部５に通し、さらにハリス１１をハリス挟み込み部６で挟み込むことでハリス１１を逆さ針１のハリス止め２に係止する。
【０００５】
ところが、図６に示した逆さ針１に設けられたハリス止め２は、ハリス１１をハリス止め２のハリス挟み込み部６に圧入して係止させるだけなので、ハリス１１がハリス挟み込み部６を中心に前後左右に移動し掛け針１０の位置が不安定になるものであった。すなわち、逆さ針１に対する掛け針１０の方向が定まらないため、野鮎の針掛かりが悪いものであった。また、野鮎が掛かった衝撃でハリス止め２のハリス挟み込み部６からハリス１１が外れたり、ハリス１１が切れてしまうことも多かった。
【０００６】
図７は、別の逆さ針２０のハリス止め２１の例を示している。
図７に示した逆さ針２０は、針先２２につながる針軸２３の端部２４をＵ字形状に折り曲げてハリス通し部２５を形成している。また、針軸２３の中央部で根巻き糸２８を巻き付けることによりハリス止め部材２６を取付け、針軸２３の端部２４に向け、針軸２３とハリス止め部材２６との間に微少な隙間からなるハリス挟み込み部２７を形成している。
図７に示すように、掛け針１０と一体になったハリス１１をハリス挟み込み部２７に挟み込み、針軸２３とハリス止め部材２６に巻き回したのち、ハリス通し部２５にハリス１１を通している。
【０００７】
図７のハリス止め２１は、図６のハリス止め２に比べると、ハリス１１が針軸２３とハリス止め部材２６に巻き回されるため、ハリス止め２１からハリス１１が外れたり切れたりしにくいものであった。
しかし、図７に示すように、ハリス１１をＵ字形状のハリス通し部２５に通すだけなので、ハリス１１がハリス通し部２５を中心に前後左右に移動し方向が定まらないことによる掛け針１０が不安定な状態は改善されておらず、野鮎の針掛かりが悪い点は改善されていなかった。
また、Ｕ字形状のハリス通し部２５からハリス１１が外れ易く、ハリス１１がハリス通し部２５から外れると、ハリス止め２１からハリス１１が外れたり切れたりしてしまう恐れがあった。
【０００８】
そこで、逆さ針のハリス止めとしてラセン形のものが提案された（特許文献１）。
特許文献１記載の逆さ針は、掛け針のハリスをハリス止めのラセン部を通すようにしたので、野鮎が掛け針に掛かってハリスに伝わった衝撃がラセン部で受け止められるため、従来のハリスを圧入するだけのハリス止めよりもハリスが切れにくいという特徴を有する。
また、ラセン部がガイドとなって逆さ針に対してハリスが一定の方向を向き、オトリ鮎の後方からオトリ鮎を追い払おうとする野鮎との位置関係が安定するので、確実に野鮎がヒットし釣果が向上する。
【先行技術文献】
【特許文献】
【０００９】
【特許文献１】実用新案登録第３１４９０１４号公報
【発明の概要】
【発明が解決しようとする課題】
【００１０】
ところが、特許文献１の逆さ針は、針先と針軸とからなる針部材と、細い針金をラセン状に作った極小バネを捻り伸ばした形のハリス止めとを１カ所のハンダ付けで組み合わせただけのものなので、この逆さ針を指先でつまんだとき、針先の方向が定まらず、掛け針のハリスのハリス止めに対する係脱がやり辛いものであった。そのため、鮎の友釣りの釣りを行っている河川において、逆さ針に対し掛け針のハリスを迅速に交換できず、せっかくの釣機を逃してしまう恐れがあった。
また、ハリス止めの端部が逆さ針から突出しているので、鮎釣りの最中にその突起部分が網などに引っ掛かるトラブルが生じやすかった。
【００１１】
さらに、特許文献１の逆さ針は、そのハリス止めが細い針金をラセン状に作った極小バネを捻り伸ばしたものであるので、ラセンのピッチが非常に長くなっていた。そのため、釣りの最中にハリスがラセン部のラセンに沿って外れていく恐れがあった。
【００１２】
そこで、本発明は、野鮎が掛かった衝撃があっても掛け針のハリスが切れず、またハリスの方向が定まり安定した釣果が得られるだけでなく、指先でつまんだとき針先の方向が定まることでハリス止めに対するハリスの係脱がやり易い鮎の友釣り用逆さ針を提供する。
また、ハリス止め部材のラセン部の形状を最適なものとすることにより、鮎釣りの最中にハリスがラセン部から外れない友釣り用逆さ針を提供する。
【課題を解決するための手段】
【００１３】
第１発明の鮎の友釣り用逆さ針は、針先と針軸とからなる針部材と、端部が小径のラセン形に形成されたラセン部と直線部とからなるハリス止め部材と、を備え、針部材の針先とハリス止め部材のラセン部が反対方向となるよう、針部材の針軸とハリス止め部材の直線部とを平行配置した接触部分に、ハリス止め部材の直線部側の端部近傍と針部材の針軸とを接合する第１ハンダ付け部と、針部材の針軸側の端部近傍とハリス止め部材の直線部とを接合する第２ハンダ付け部とを設けた鮎の友釣り用逆さ針であって、第１ハンダ付け部近傍のハリス止め部材を針軸から離間するよう凸型に形成することによりハリス通し部を設け、ハリス通し部と第２ハンダ付け部との間に針部材の針軸とハリス止め部材の直線部との微少な隙間からなるハリス挟み込み部を設け、掛け針のハリスをハリス通し部に通し、ハリスをハリス挟み込み部に挟み込み、さらにハリスを第２ハンダ付け部の外周部に巻き回したのち、ラセン部の内部を通すことで、掛け針のハリスが係止されることを特徴とする。
【００１４】
第１発明の鮎の友釣り用逆さ針は、掛け針のハリスをハリス止め部材のラセン部を通すようにし、野鮎が掛かった衝撃がラセン部で受け止められるので従来のハリスを圧入するだけのハリス止めよりもハリスが切れにくいという特徴を有する。
また、ラセン部がガイドとなってハリスの方向が一定の方向を向き、オトリ鮎の後方からオトリ鮎を追い払おうとする野鮎との位置関係が定まるので、安定して野鮎がヒットするので釣果が向上する。
さらに、第１ハンダ付け部近傍のハリス止め部材を針軸から離間するよう凸型に形成したハリス通し部を設けたので、その部分を指先で摘まんだときに針先の方向が定まることになり、逆さ針に対する掛け針のハリスの係脱がやり易くなる。
また、逆さ針に不要な突起がないので、釣りの最中に網などに逆さ針が引っ掛かるトラブルが生じない。
【００１５】
第２発明の鮎の友釣り用逆さ針は、ラセン部の線材間の隙間が、ハリス止め部材に係止される、掛け針のハリスの直径程度とされることを特徴とする。
第２発明の鮎の友釣り用逆さ針は、ラセン部の線材間の隙間がハリスの直径程度なので、鮎釣り中にハリスがラセン部のラセンに沿って外れていく恐れがなくなる。
【００１６】
第３発明の鮎の友釣り用逆さ針は、ラセン部の巻き回数が２〜３回であることを特徴とする。
第３発明の鮎の友釣り用逆さ針は、ハリス止め部材のラセン部の巻き回数をラセン部の機能として必要十分な２〜３回としたので、特許文献１の逆さ針に比べ全長を短くすることができるのでオトリ鮎の泳ぎのジャマにならずオトリ鮎が疲れにくくなる。
【発明の効果】
【００１７】
本発明の鮎の友釣り用逆さ針は、上記構成により鮎の友釣りを行う河川において、掛け針のハリスを迅速に交換することができる。また、ハリスの強度一杯まで掛け針に対するハリスの係止の強度を高めることができる。さらに、逆さ針が網に引っ掛かるなどの鮎の友釣り中のトラブルを減少することができる。
【図面の簡単な説明】
【００１８】
【図１】本発明に係る鮎の友釣り用逆さ針の拡大図である。
【図２】本発明に係る逆さ針を用いた鮎の友釣り用仕掛けである。
【図３】図２に示した友釣り用仕掛けの逆さ針部分の詳細図である。
【図４】オトリ鮎に本発明に係る友釣り用仕掛けを装着した図である。
【図５】本発明に係る逆さ針を用いての鮎の友釣りの様子である。
【図６】逆さ針のハリス止めの例を示した図である。
【図７】逆さ針のハリス止めの別の例を示した図である。
【発明を実施するための形態】
【００１９】
図１は、本発明に係る鮎の友釣り用逆さ針３０の拡大図である。実際の逆さ針３０は、その全長が１７ｍｍ程度である。
逆さ針３０は、針先３１と針軸３２とからなる針部材３３と、端部が小径のラセン形に形成されたラセン部３４と直線部３５とからなるハリス止め部材３６とを備えている。針部材３３とハリス止め部材３６には、直径０．４ｍｍ程度のステンレス鋼線材等が用いられる。
ラセン部３４は、図１に示すようにその内径φＤがハリス止め部材３６の線材の線径φｄと同程度の寸法となっている。ラセン部３４のピッチＰは、ハリス止め部材３６の線材の線径φｄよりやや大きい程度の寸法とすることにより、線材間の隙間寸法が掛け針のハリスの直径とほぼ同じ程度となっている。
また、ラセン部３４のラセン巻き数ｎは３である。なお、ラセン部３４のラセン巻き数ｎは２〜３回とすることで、ハリスの引っ張り強度一杯までの安定した係止強度を維持することができる。
【００２０】
図１に示すように、針部材３３の針先３１とハリス止め部材３６のラセン部３４とが反対方向となるよう、針部材３３の針軸３２とハリス止め部材３６の直線部３５とが平行に接触して配置されている。ハリス止め部材３６の直線部側の端部近傍３７と針部材３３の針軸３２とが第１ハンダ付け部３８により接合されている。そして、針部材３３の針軸側の端部近傍３９とハリス止め部材３６の直線部３５とが第２ハンダ付け部４０により接合されている。
【００２１】
さらに図１に示すように、第１ハンダ付け部３８近傍のハリス止め部材３６の直線部３５の一部を針軸３２から離間するよう凸型に形成することによりハリス通し部４１を設けている。また、ハリス通し部４１と第２ハンダ付け部４０との間に針部材３３の針軸３２とハリス止め部材３６の直線部３５との微少な隙間からなるハリス挟み込み部４２を設けている。
また、ハリス通し部４１からハリス挟み込み部４に至る隙間が滑らかに小さくなるよう、ハリス止め部材３６の凸型部分から直線部に渡っての間の形状が作られている。
【００２２】
上記構成の本発明の逆さ針３０は、ハリス止め部材３６のラセン部３４のラセン巻き回数をラセン部３４の機能として必要十分な２〜３回としたので、特許文献１の逆さ針に比べ全長を短くすることができる。
【００２３】
図２は、本発明に係る逆さ針３０を用いた鮎の友釣り用仕掛け５０である。
逆さ針３０には、鼻環５１が取り付けられた仕掛け糸５２が係止されている。また、逆さ針３０には、掛け針１０のハリス１１が係止されている。
【００２４】
図３は、図２に示した友釣り用仕掛け５０の逆さ針３０部分の詳細図である。
逆さ針３０の第１ハンダ付け部３８の外周部（針部材３３の針軸３２とハリス止め部材３６の直線部３５）には根巻き糸５３を巻きつけることにより、仕掛け糸５２が逆さ針３０にしっかりと係止されている。
このようにしっかりと係止されるのは、鮎の友釣りをしている最中に、逆さ針３０から仕掛け糸５２を取り外すことは無いためである。
【００２５】
図３に示すように、掛け針のハリス１１を逆さ針３０のハリス通し部４１に通し、ハリス１１をハリス挟み込み部４２に挟み込み、さらにハリス１１を第２ハンダ付け部４０の外周部（針部材３３の針軸３２とハリス止め部材３６の直線部３５）に数回巻き回したのち、ハリス１１をラセン部３４のラセンに沿って線材間の隙間に通していき、最終的にラセン部３４の内部にハリス１１を通すことにより、掛け針のハリス１１が逆さ針３０に係止されている。
本発明の逆さ針３０は、逆さ針３０に対する掛け針のハリス１１の上述した係止状態に特徴を有しており、以下の効果を発揮する。
【００２６】
すなわち、掛け針１０のハリス１１をハリス通し部４１に通し、ハリス１１をハリス挟み込み部４２に挟み込み、さらにハリス１１を第２ハンダ付け部４０の外周部に巻き回したのち、ラセン部３４の内部を通すことで、掛け針１０のハリス１１が係止されるようにしたので、野鮎が掛かった衝撃がハリス止め部材３６で分散して受け止められる。
そのため、ハリス１１が持っている引っ張り強度一杯までの安定した係止強度が維持される。
また、ラセン部３４がガイドとなって逆さ針３０に対してハリス１１が一定の方向を向くので、オトリ鮎の後方からオトリ鮎を追い払おうとする野鮎との位置関係が安定するので、確実に野鮎がヒットする。
【００２７】
さらに、第１ハンダ付け部３８近傍のハリス止め部材３５を針軸３２から離間するよう凸型に形成したハリス通し部４１を設けたので、その部分を指先で摘まんだときに針先３１の方向が定まることで、逆さ針３０に対する掛け針のハリス１１の係脱がやり易くなる。
また、ラセン部３４のピッチにより定まるラセン部の線材間の隙間寸法と、ラセン部３４の巻き数を最適なものとしたので、ハリス１１を逆さ針３０のハリス止め部材３６に係止し易いものとなった。そして、鮎釣り中にもハリス１１がラセン部３４から自然により戻されてハリス止め部材３６から外れることも無い。
さらに、逆さ針３０の全長を短くすることができるのでオトリ鮎の泳ぎのジャマにならずオトリ鮎が疲れにくくなる。
【００２８】
図４は、オトリ鮎６０に本発明に係る友釣り用仕掛け５０を装着した図である。
オトリ鮎６０の鼻孔６１に鼻環５１を装着し、逆さ針３０をオトリ鮎６０の尻ビレ側の下腹部６２に針先を後方に向け引っ掛ける。
図５は、本発明に係る逆さ針を用いての鮎の友釣りの様子である。
図５に示すように、オトリ鮎６０に対して掛け針１０のハリス１１の方向が一定の方向を向き、オトリ鮎６０の後方からオトリ鮎６０を追い払おうとする野鮎６３との位置関係が定まるので、安定して野鮎６３を掛け針１０にヒットすることができる。
【符号の説明】
【００２９】
１０：掛け針
１１：ハリス
３０：逆さ針
３１：針先
３２：針軸
３３：針部材
３４：ラセン部
３５：直線部
３６：ハリス止め部材
３８：第１ハンダ付け部
４０：第２ハンダ付け部
４１：ハリス通し部
４２：ハリス挟み込み部
【図１】
2018029526.tif 000003
【図２】
2018029526.tif 000004
【図３】
2018029526.tif 000005
【図４】
2018029526.tif 000006
【図５】
2018029526.tif 000007
【図６】
2018029526.tif 000008
【図７】
2018029526.tif 000009